【手続補正書】
【提出日】平成28年5月10日(2016.5.10)
【手続補正１】
【補正対象書類名】特許請求の範囲
【補正対象項目名】全文
【補正方法】変更
【補正の内容】
【特許請求の範囲】
【請求項１】
塗布ロールと、
ハンドルを一方の端部（Ｅ１）に有し、前記塗布ロールを回転可能に接続可能なエンド部位（２）を他方の端部（Ｅ２）に有するブラケット（１）と、を備え、
前記ブラケット（１）と前記塗布ロールとの接続及び切離しを可能にするプッシュ−プッシュ機構を設けており、
前記プッシュ−プッシュ機構は、前記ブラケット（１）を前記エンド部位（２）の延在方向に平行であり、かつ、前記塗布ロールの自由端部に向けられている押圧方向に押圧することによって接続及び切離しが達成されるように実現されており、かつ、
前記自由端部は、前記ブラケット（１）の前記エンド部位（２）が挿入される他端とは反対側の端部である、ペイントローラ。
【請求項２】
請求項１に記載のペイントローラにおいて、前記エンド部位（２）に、スナップエレメント（７，２８，３９，４５）が設けられ、前記塗布ロールの塗布ロール筒体（３，４４）の第１の端部（Ｅ３）に、前記スナップエレメント（７，２８，３９，４５）に対応するカウンタースナップエレメント（１７，３２，４３，５１）が設けられ、
前記スナップエレメント（７，２８，３９，４５）を前記カウンタースナップエレメント（１７，３２，４３，５１）の方向に動かすと前記スナップエレメント（７，２８，３９，４５）および前記カウンタースナップエレメント（１７，３２，４３，５１）を押し離す弾性力を生成する、ばね手段が設けられ、
前記スナップエレメント（７，２８，３９，４５）を弾性力に抗して前記カウンタースナップエレメント（１７，３２，４３，５１）の方向に押圧すると前記スナップエレメント（７，２８，３９，４５）が前記カウンタースナップエレメント（１７，３２，４３，５１）と係合し、前記スナップエレメント（７，２８，３９，４５）を弾性力に抗して前記カウンタースナップエレメント（１７，３２，４３，５１）の方向に引き続き押圧すると前記スナップエレメント（７，２８，３９，４５）が前記カウンタースナップエレメント（１７，３２，４３，５１）から離脱して前記塗布ロールを前記ブラケット（１）から切り離すことが可能となるように、前記ばね手段、前記スナップエレメント（７，２８，３９，４５）および前記カウンタースナップエレメント（１７，３２，４３，５１）が協働する、ペイントローラ。
【請求項３】
請求項２に記載のペイントローラにおいて、前記スナップエレメント（７）が、前記ブラケット（１）上において、前記スナップエレメント（７，２８，３９，４５）の軸方向移動を制限する第１および第２のストッパ（６，１２，２６，３７，４６）間で回転可能に支持される、ペイントローラ。
【請求項４】
請求項２または３に記載のペイントローラにおいて、前記ばね手段によって前記スナップエレメント（７，２８，３９，４５）および前記カウンタースナップエレメント（１７，３２，４３，５１）に加えられる弾性力が、前記スナップエレメント（７，２８，３９，４５）を前記カウンタースナップエレメント（１７，３２，４３，５１）に対する係合位置に保持する、ペイントローラ。
【請求項５】
請求項２から４のいずれか一項に記載のペイントローラにおいて、前記スナップエレメント（７，２８，３９，４５）および前記カウンタースナップエレメント（１７，３２，４３，５１）は、前記スナップエレメント（７，２８，３９，４５）および前記カウンタースナップエレメント（１７，３２，４３，５１）が係合状態では互いに対して回転できないように形成されている、ペイントローラ。
【請求項６】
請求項２から５のいずれか一項に記載のペイントローラにおいて、前記カウンタースナップエレメント（１７）が、前記塗布ロール筒体（３）の第１の端部（Ｅ３）内に挿入される第１のエンドピース（４）の一部である、ペイントローラ。
【請求項７】
請求項１に記載のペイントローラにおいて、前記エンド部位（２）に、第１のカム筒（６０）と第２のカム筒（６２）とを含むスナップ構造体が設けられ、前記第１のカム筒（６０）および前記第２のカム筒（６２）は前記ブラケット（１）において回転可能に支持され、
前記第１のカム筒（６０）は、その第１の端面に、複数の第１のカム（６６）を有しており、
前記第１のカム筒（６０）は、前記ブラケット（１）上において、前記第１のカム筒（６０）の軸方向移動を制限する２つのストッパ（６，１２，２６，３７，４６）間で支持され、
前記第２のカム筒（６２）は、前記第１のカム筒（６０）に回転可能に係合し、
前記第２のカム筒（６２）は、第２の端面に、前記第１のカム（６６）と係合可能な複数の第２のカム（６９）を有しており、前記第２のカム（６９）は、係止位置および非係止位置において、前記第１のカム（６６）に対して回転可能であり、
非係止位置では、それらカム（６６，６９）間に、前記塗布ロール筒体（３，４４）の内面（７３）に設けられた軸方向に延びるタング（７４）に対応する軸方向溝（６７，７２）が形成されることにより、非係止位置において、前記スナップ構造体を前記塗布ロール筒体（３）内に挿入することが可能となり、
前記塗布ロール筒体（３）に、第３のストッパ（２６）が設けられ、
前記スナップ構造体を前記第３のストッパ（２６）に動かし当てると前記第２のカム（６９）を前記第１のカム（６６）に押し付ける弾性力を生成する、ばね手段（１３）が設けられる、ペイントローラ。
【請求項８】
請求項７に記載のペイントローラにおいて、前記第２のカム筒（６２）が前記ばね手段によって前記第１のカム筒（６０）に押し付けられると共に前記第２のカム筒（６２）が前記タング（７４）との係合から外れた際に前記第２のカム筒（６２）が係止位置へと回転するように、前記第１のカム（６６）が第１の傾斜面（６８）を有し且つ前記第２のカム（６９）が対応する第２の傾斜面（７０）を有している、ペイントローラ。
【請求項９】
請求項７または８に記載のペイントローラにおいて、前記内面（７３）、前記タング（７４）および前記第３のストッパ（２６）が、前記塗布ロール筒体（３）の第１の端部（Ｅ３）内に挿入される第３のエンドピース（６５）の一部である、ペイントローラ。
【請求項１０】
請求項１から９のいずれか一項に記載のペイントローラ−において、第１のストッパ（６）が、前記ブラケット（１）に形成された径方向突起である、ペイントローラ。
【請求項１１】
請求項１から１０のいずれか一項に記載のペイントローラにおいて、第２のストッパが、前記ブラケット（１）に固定されるスリーブ（１２、４０、４６）で構成される。ペイントローラ。
【請求項１２】
請求項１１に記載のペイントローラにおいて、前記スリーブ（１２）には、その表面に複数の凹所（１２ａ）が設けられており、前記スナップエレメント（７）には、前記スナップエレメント（７）が前記スリーブ（１２）の周りで回転されると前記凹所（１２ａ）に係合・離脱する弾性タング体（１０）が設けられている、ペイントローラ。
【請求項１３】
請求項１から１２のいずれか一項に記載のペイントローラにおいて、前記ばね手段が、前記ブラケット（１）で支持される、ペイントローラ。
【請求項１４】
請求項１から１３のいずれか一項に記載のペイントローラにおいて、前記ばね手段が、圧縮ばね（１３）である、ペイントローラ。
【請求項１５】
請求項１から１４のいずれか一項に記載のペイントローラにおいて、第２のエンドピース（５）が、前記塗布ロール筒体（３）の第２の端部（Ｅ４）内に挿入される、ペイントローラ。
【請求項１６】
請求項１から１５のいずれか一項に記載のペイントローラにおいて、前記第２のエンドピース（５）に、貫通孔（Ｈ２）を密封するエンドキャップ（２３）が設けられる、ペイントローラ。
【請求項１７】
請求項１から１６のいずれか一項に記載のペイントローラにおいて、前記第１のエンドピース（４）と前記第２のエンドピース（５）とは、同一に構成されている、ペイントローラ。
【請求項１８】
請求項１に記載のペイントローラにおいて、前記プッシュ−プッシュ機構が、さらに、前記エンド部位（２）に設けられるスナップエレメント（７８）および前記スナップエレメント（７８）と係合するカウンタースナップエレメント（８３）を、前記ブラケット（１）を押圧方向に押圧すると前記スナップエレメント（７８）が前記カウンタースナップエレメント（８３）に対して第１の軸方向位置から第２の軸方向位置へと又は第２の軸方向位置から第１の軸方向位置へと軸方向移動されるように含み、
前記プッシュ−プッシュ機構が、さらに、クランピング装置を含み、
前記クランピング装置は、前記スナップエレメント（７８）の位置に依存して半径が変化するように前記スナップエレメント（７８）によって作動されるクランピングエレメント（８８）を有する、ペイントローラ。
【請求項１９】
請求項１８に記載のペイントローラにおいて、前記スナップエレメント（７８）が、前記エンド部位（２）上において回転可能に保持される、ペイントローラ。
【請求項２０】
請求項１８または１９に記載のペイントローラにおいて、前記カウンタースナップエレメント（８３）が、エンドキャップ（８７）を有し、前記エンドキャップ（８７）と前記スナップエレメント（７８）の自由端部に設けられる作動エレメント（８０）との間に、圧縮ばね（８９）が設けられる、ペイントローラ。
【請求項２１】
請求項１８から２０のいずれか一項に記載のペイントローラにおいて、前記クランピングエレメントが、前記エンドキャップ（８７）から延設されて前記作動エレメント（８０）を取り囲む可撓性のホース（８８）であり、前記作動エレメント（８０）は、前記作動エレメント（８０）の位置に依存して前記可撓性のホース（８８）の半径が変化する円錐形状を有している、ペイントローラ。
【請求項２２】
請求項１８から２１のいずれか一項に記載のペイントローラにおいて、前記クランピングエレメント（８８）の、前記作動エレメント（８０）の第１の位置に対応した第１の外半径が、塗布ロール筒体（９０）の内半径よりも小さく、前記クランピングエレメント（８８）の、前記作動エレメント（８０）の第２の位置に対応した第２の外半径が、前記塗布ロール筒体（９０）の前記内半径よりも大きい、ペイントローラ。